(57)【要約】【課題】飼い主自らがペットの歯及び歯茎等の強化や清掃を行なうことは、つらい作業となり、ペットにとっても楽しいものではなかった。従って、おろそかになりがちであった。また、獣医に頼む場合は、日常的なことでもあり、料金がかさむことになり、定期的に行なうには高価なものとなっている。本発明は、上記欠点を解決したもので、飼い主自ら或いは獣医に頼むことなくペット自身が歯や歯茎の強化及び歯の汚れや口腔内の悪臭の予防・除去を行うことができるものである。【解決手段】糸間に隙間が生じる繊維糸によって外形を構成したぬいぐるみの内側に空気層の生じる海綿状或いは網状の弾性吸収体を挿入配設し、該弾性吸収体にキシリトール、クロロフィル、カルシウム、コラーゲン及びペットの好む臭いを発散する材料を混合或いはその一部を分離して混合した液体薬剤を注入して成ることを特徴とするペットのためのデンタルケア用ぬいぐるみ。【選択図】図１
2006230305.tif 000002
【特許請求の範囲】
【請求項１】
糸間に隙間が生じる繊維糸によって外形を構成したぬいぐるみの内側に空気層の生じる海綿状或いは網状の弾性吸収体を挿入配設し、該弾性吸収体にキシリトール、クロロフィル、カルシウム、コラーゲン及びペットの好む臭いを発散する材料を混合或いはその一部を分離して混合した液体薬剤を注入して成ることを特徴とするペットのためのデンタルケア用ぬいぐるみ。
【請求項２】
糸間に隙間が生じる繊維糸によって外形を構成したぬいぐるみの内側に空気層の生じる海綿状或いは網状の弾性吸収体を挿入配設し、該繊維糸にキシリトール、クロロフィル、カルシウム、コラーゲン及びペットの好む臭いを発散する材料を混合或いはその一部を分離して混合した液体薬剤をコーティングして成ることを特徴とするペットのためのデンタルケア用ぬいぐるみ。
【請求項３】
糸間に隙間が生じる繊維糸によって外形を構成したぬいぐるみの内側に空気層の生じる海綿状或いは網状の弾性吸収体を挿入配設し、該繊維糸と弾性吸収体との間にキシリトール、クロロフィル、カルシウム、コラーゲン及びペットの好む臭いを発散する材料を混合或いはその一部を分離して混合した液体薬剤を含浸或いは内包させて成ることを特徴とするペットのためのデンタルケア用ぬいぐるみ。
【請求項４】
液体薬剤を多孔性を有する板状体に浸み込ませて成ることを特徴とする請求項３に記載のペットのためのデンタルケア用ぬいぐるみ。
【請求項５】
液体薬剤をペットの歯により容易に孔や亀裂の生じる薄手の袋状物に囲繞して成ることを特徴とする請求項３に記載のペットのためのデンタルケア用ぬいぐるみ。
【請求項６】
液体薬剤をぬいぐるみの一部に設けて成ることを特徴とする請求項１ないし５のいずれかに記載のペットのためのデンタルケア用ぬいぐるみ。
【請求項７】
空気層の生じる海綿状或いは網状の弾性吸収体の内部に発音装置を設けて成ることを特徴とする請求項１ないし６のいずれかに記載のペットのためのデンタルケア用ぬいぐるみ。
【請求項８】
請求項１ないし７のいずれかから成るぬいぐるみを容器に収納し、基盤面に並設取着して成ることを特徴とするペットのためのデンタルケア用ぬいぐるみ。
【請求項９】
請求項１ないし７のいずれかから成るぬいぐるみを補充用器具及び補充用液体薬剤とともに容器に収納し、基盤面に並設取着して成ることを特徴とするペットのためのデンタルケア用ぬいぐるみ。
【発明の詳細な説明】
【技術分野】
【０００１】
本発明は、犬や猫等のペットのためのデンタルケア用ぬいぐるみに関する。
【背景技術】
【０００２】
近年、ペットブームにより多くの犬や猫等の動物が飼われているが、食事や過保護及び高齢化等を原因として歯の衰弱には著しいものがある。また歯茎の炎症も多く生じている。
飼い主にとって歯の衰弱防止や歯茎の炎症防止及び歯の汚れや口腔内の悪臭除去には、自ら行なうか、獣医に頼む必要があった。自らの場合は、食餌療法やペット用歯ブラシによるブラッシングでの歯の強化及び布等により歯の汚れを拭い取る必要があり、また、獣医に頼む場合はブラッシングを含め治療薬の投与等の専門の手段を講じている。
【特許文献１】特開２００２−２６２６９７号公報
【発明の開示】
【発明が解決しようとする課題】
【０００３】
上記の通り、飼い主自らがペットの歯及び歯茎等の強化や清掃を行なう場合は、つらい作業となり、ペットにとっても楽しいものではなかった。従って、おろそかになりがちであった。また、獣医に頼む場合は、日常的なことでもあり、料金がかさむことになり、定期的に行なうには高価なものとなっている。
本発明は、上記欠点を解決したもので、飼い主自ら或いは獣医に頼むことなくペット自身が遊びながら歯や歯茎の強化及び歯の汚れや口腔内の悪臭の予防・除去を行うことができるものである。
【課題を解決するための手段】
【０００４】
上記問題点を解決するため本発明は、糸間に隙間が生じる繊維糸によって外形を構成したぬいぐるみの内側に空気層の生じる海綿状或いは網状の弾性吸収体を挿入配設し、該弾性吸収体にキシリトール、クロロフィル、カルシウム、コラーゲン及びペットの好む臭いを発散する材料を混合或いはその一部を分離して混合した液体薬剤を注入して成るペットのためのデンタルケア用ぬいぐるみを特徴とする。
【０００５】
また、糸間に隙間が生じる繊維糸によって外形を構成したぬいぐるみの内側に空気層の生じる海綿状或いは網状の弾性吸収体を挿入配設し、該繊維糸にキシリトール、クロロフィル、カルシウム、コラーゲン及びペットの好む臭いを発散する材料を混合或いはその一部を分離して混合した液体薬剤をコーティングして成るペットのためのデンタルケア用ぬいぐるみを特徴とする。
【０００６】
更に、糸間に隙間が生じる繊維糸によって外形を構成したぬいぐるみの内側に空気層の生じる海綿状或いは網状の弾性吸収体を挿入配設し、該繊維糸と弾性吸収体との間にキシリトール、クロロフィル、カルシウム、コラーゲン及びペットの好む臭いを発散する材料を混合或いはその一部を分離して混合した液体薬剤を含浸或いは内包させて成るペットのためのデンタルケア用ぬいぐるみを特徴とする。
【０００７】
また、上記液体薬剤を多孔性を有する板状体に浸み込ませて成るペットのためのデンタルケア用ぬいぐるみを特徴とする。
【０００８】
更に、上記液体薬剤をペットの歯により容易に孔や亀裂の生じる薄手の袋状物に囲繞して成るペットのためのデンタルケア用ぬいぐるみを特徴とする。
【０００９】
また、上記液体薬剤をぬいぐるみの一部に設けて成るペットのためのデンタルケア用ぬいぐるみを特徴とする。
【００１０】
更に、空気層の生じる海綿状或いは網状の弾性吸収体の内部に発音装置を設けて成るペットのためのデンタルケア用ぬいぐるみを特徴とする。
【００１１】
また、上記ぬいぐるみを容器に収納し、基盤面に並設取着して成るペットのためのデンタルケア用ぬいぐるみを特徴とする。
【００１２】
更に、上記ぬいぐるみを補充用器具及び補充用液体薬剤とともに容器に収納し、基盤面に並設取着して成るペットのためのデンタルケア用ぬいぐるみを特徴とする。
【発明の効果】
【００１３】
外形を隙間の生じる繊維製品で形成したぬいぐるみの外側又は内側に設けた綿やスポンジ等の空気層の生じる海綿状若しくは網状の弾性吸収体中に、デンタルケア用の液体薬剤をコーティング、含浸或いは配設させることにより、ペットが該ぬいぐるみを噛むと該液体薬剤がぬいぐるみより浸み出てペットの口腔内に入り込み、歯や歯茎の強化、各種雑菌の駆除及び口腔内の悪臭の予防・除去をすることを可能とした。  
【００１４】
また、ぬいぐるみに液体薬剤中或いは別途分離して動物の好む臭いを発散する無害な香料や発音装置を設けることによりペットの嗅覚及び聴覚を刺激し、ペットがぬいぐるみを噛むこと及びその噛み続ける時間を長くすることを可能とした。
【００１５】
更に、ぬいぐるみの外側や内側に液体薬剤をコーティングや注入するための補充用器具及び補充用液体薬剤を別途用意することにより、ぬいぐるみの反復使用を可能とした。
【発明を実施するための最良の形態】
【００１６】
以下、本発明の実施例を図面に基づいて説明する。
【実施例１】
【００１７】
図１の１は、犬の形状をしたぬいぐるみを示しているが、犬以外でもペットであれば対象物は問わない。該ぬいぐるみの外形を構成する材料は天然繊維糸或いは合成繊維糸等により編み込まれた短繊維或いは長繊維の繊維製品２であり、糸間に微細な隙間が生じているものであればよい。該繊維製品２内には該繊維製品２に囲繞された状態でスポンジや綿等の空気層の生じる海綿状或いは網状の弾性吸収体３を挿入配設する。該弾性吸収体３としてはスポンジや綿等が好ましく、弾力性があり、外圧力を吸収できるものであれば良い。また、液体薬剤４を浸み込ませることも考慮し、総称として弾性吸収体という。
【００１８】
該弾性吸収体３には、ペットのためのデンタルケア用液体薬剤４を浸み込ませ、ペットがぬいぐるみ１を噛んだ場合、該液体薬剤４が外部へ浸み出る程度の量を浸み込ませている。該液体薬剤４は、流体状、ゾル状のいずれでも良い。
【００１９】
該液体薬剤４としては、歯や歯茎を補強する材料、口腔内の各種雑菌を駆除する材料、口腔内の悪臭を予防・除去する材料及びペットの好む臭いを発散する材料等が適宜選択される。具体的には、キシリトール、或いはキシリトールの含まれたキシリット（登録商標）等の材料、クロロフィル、カルシウム、コラーゲン及びペットの好む臭いを発散する無害な食品粉末を混合した液体状や微細粉末状のもの或いは液体・粉体・ゼリー状の香料等である。該キシリトールは、白樺等から採れる甘味料で、砂糖と甘さは同等のもので、虫歯菌発生の原因となるミュータンス菌を発酵しないため酸を作らせず、歯を溶かさない材料である。該キシリトールは虫歯の予防の他、口臭の予防にも効果のあるものである。また、クロロフィル（葉緑素）は、口腔内のバクテリアの殺菌及び口臭の予防に効果がある。更に、カルシウム及びコラーゲンは、ペットの歯と歯茎を強化し、且つ弾力性に富んだ丈夫な骨格を形成し維持する効果がある。また、場合によってはフッ素系材料を混合しても良い。
【００２０】
更に、犬や猫等のペットが好み、無害で保存が効き、且つ臭いを発散する材料を液体状、ゼリー状或いは粉末状にして上記材料と混入したり、別途外形部分や他の箇所に含浸、吹き付け等により設けておくことができる。
【００２１】
上記キシリトール、クロロフィル、カルシウム、コラーゲン及び場合によっては臭い材料を混合した液体を繊維製品２に囲繞された弾性吸収体３に浸み込ませる。該弾性吸収体３は、スポンジや綿等の空気層の生じる海綿状或いは網状のものなので混合液体を吸収することが可能である。上記浸み込みには注射針等の注入器具を使用することにより、ぬいぐるみ１の表面側から行なうことができる。
【００２２】
液体薬剤は、上記の通り香料等の臭い材料を含むものであっても良いし、該臭い材料を別途他の場所に設けることができる他、液体薬剤そのものも、弾性吸収体３全体に設けることも可能であるし、図１に示すように、犬の一部である背の部分、つまり犬が噛みやすい部分のみの該弾性吸収体３に含浸させておくことができる。この場合はスポンジや綿等の該弾性吸収体を袋状物により他のものと分離配設することにより容易に可能である。
【００２３】
上記の通り、弾性吸収体３に液体薬剤４を浸み込ませることになるが、ペットはぬいぐるみの形状を目視し、及び浸み込んだ液体薬剤４中に含まれる食品材料或いは臭いの出る材料等をぬいぐるみ１の外側から嗅ぎ分けることができるので、当該ぬいぐるみ１に噛み付くことになる。ペットがぬいぐるみ１に噛み付くことにより、該液体薬剤４は弾性吸収体３及び繊維製品２から浸み出てくることになり、ペットの口腔内に入り込む。
【００２４】
上記液体薬剤４により歯や歯茎の補強、各種雑菌の駆除及び口腔内の悪臭の予防・除去を行なうとともに、歯の汚れを清掃することになる。上記噛み付きによって歯や歯茎から分離された汚れや各種雑菌類は、ぬいぐるみ１の外形を形成している繊維製品２に付着し、除去することが可能となる。該ぬいぐるみ１は、上記により汚れることになるが、洗浄し、液体薬剤を補充することにより反復使用が可能であるし、廃棄して他のぬいぐるみと交換することも容易である。
【実施例２】
【００２５】
図１に示すぬいぐるみ１の外形を構成する繊維製品２の表面全体或いはその一部に、該繊維に付着するようにしてキシリトール、或いはキシリトールを含む材料、クロロフィル、カルシウム、コラーゲン及びペットの好む臭い材料を混合した液体薬剤を噴霧、塗布、どぶ漬け或いは他の適宜手段によりコーティングさせる。
【００２６】
上記実施例２により、ペットはぬいぐるみに噛み付くことになり、実施例１と同様の効果を奏することができる。
【実施例３】
【００２７】
図２の断面図に示すように、ぬいぐるみ１の外形を構成する繊維製品２と内側の弾性吸収体３との間に、液体を吸収することのできる多孔性を有する板状体或いは袋状物５を配設する。該板状体或いは袋状物５には上記実施例１、２同様のキシリトール、或いはキシリトールを含む材料、クロロフィル、カルシウム、コラーゲン及びペットの好む臭い材料を混合した液体薬剤を浸み込ませ或いは囲繞している。香料等のペットの好む材料を別途扱いとして弾性吸収体３に吸収或いは塗布しておくこともできる。
【００２８】
板状体にあってはペットが噛むことにより浸み込ませてあった液体薬剤が口腔内に入り込むことになる。他方、袋状物は、ビニール製品等の薄手のもので製造し、その袋状物内に液体薬剤を内包させることになるので、ペットが該袋状物を噛むことにより孔や亀裂が生じ、液体薬剤が浸み出てくることになりペットの口腔内に入り込む。
【実施例４】
【００２９】
図３に示す６は、熊の形状をしたぬいぐるみで、外形を構成する材料である繊維製品７、該繊維製品７により内側に囲繞される弾性吸収体８及び液体薬剤の含浸、コーティング等は上記実施例１、２、３と同様である。本実施例では、弾性吸収体８の内部に発音装置９を設けている。
【００３０】
図に示すように、弾性吸収体８に囲まれるようにして発音装置９となる鈴を設けている。ペットは、該ぬいぐるみ６を噛んで動かすことにより、該発音装置９が作用し、聴覚に刺激を与えることになり、ペットが飽きることなく噛み続ける時間を延ばすことになる。これにより液体薬剤が十分にペットの口腔内に入り込むことが可能となる。
【００３１】
上記発音装置９として鈴を設けたが、ペットが噛むことを要因とする空気の出入に伴なう圧力移動による発音手段であっても良い。
【実施例５】
【００３２】
図４は、上記実施例１〜４のぬいぐるみを袋状のもの或いはブリスターパック等の容器１０に収納し、それらの多数個を個別に基盤１１の面上に取り付けた状態を示すものである。取り付け手段としては、糊着、嵌着、掛着、縛着、貼着、融着、挿着、マジックテープ（登録商標）状のもの等適宜な手段が考えられる。また、該基盤１１は、上部に孔を設け、該孔に紐を貫通させて壁面に吊り下げたり、フック状のものを設け吊着したり、適宜な手段により支持させることができる。
【００３３】
ぬいぐるみとしては、上記実施例１〜４と同様、様々な形状のものを選択して収納することができる。例えば、犬、猫、熊、豚、兎、パンダ、象、牛、馬、鹿、鼠、魚、鰐等の各種動物の全体或いは部分を示す形状等をぬいぐるみとして形成しておくことができる。また、動物以外の噛むためのおもちゃ（チュートーイ）であれば適宜な形状のものが選択できる。
【００３４】
更に、ぬいぐるみと一緒に液体薬剤を注入したり塗布するための補充用器具１２及び補充用液体薬剤１３を適宜箇所に添設しておくことができ、また、それらを図４に示すように基盤１１の面上に取着しておくこともできる。上記により液体薬剤のぬいぐるみへの追加を可能とすることができる。
【図面の簡単な説明】
【００３５】
【図１】本発明のぬいぐるみの一部断面正面図。
【図２】本発明のぬいぐるみの一部を示す他の実施例の断面図。
【図３】同他の実施例のぬいぐるみの一部断面正面図。
【図４】ぬいぐるみを包装した容器を基盤の面上に取り付けた状態を示す正面図。
【符号の説明】
【００３６】
１        ぬいぐるみ
２        繊維製品
３        弾性吸収体
４        液体薬剤
５        板状体或いは袋状物
６        ぬいぐるみ
７        繊維製品
８        弾性吸収体
９        発音装置
１０        容器
１１        基盤
１２        補充用器具
１３        補充用液体薬剤
【図１】
2006230305.tif 000003
【図２】
2006230305.tif 000004
【図３】
2006230305.tif 000005
【図４】
2006230305.tif 000006